(57)【特許請求の範囲】
【請求項１】
前面基板の背面側に行方向に延び列方向に並設されてそれぞれ表示ラインを形成する複数の行電極対とこの行電極対を被覆する誘電体層が形成され、前面基板と放電空間を介して対向する背面基板に列方向に延び行方向に並設された複数の列電極が設けられ、この列電極と行電極対とが交差する位置の放電空間に、少なくとも列方向に延びる縦壁部を有する隔壁によって仕切られた単位発光領域が形成されているとともに、隔壁の縦壁部と誘電体層との間に行方向に隣接する単位発光領域間を連通する隙間が形成されているプラズマディスプレイパネルにおいて、
前記前面基板または背面基板の少なくとも一方の行方向に隣接する単位発光領域間を仕切る隔壁の縦壁部に対向する部分に、フローティング電極が設けられていることを特徴とするプラズマディスプレイパネル。
【請求項２】
前記フローティング電極が、透明導電膜または金属膜によって形成されている請求項１に記載のプラズマディスプレイパネル。
【請求項３】
前記行電極対の互いに所定のギャップを挟んで対向する透明電極がそれぞれ単位発光領域ごとに独立した島状に形成されており、前記フローティング電極が、行方向において互いに隣接する二つの単位発光領域の透明電極の先端部の間の位置またはこの二つの単位発光領域の透明電極の先端部の間の位置に対向する位置に、それぞれ設けられている請求項１に記載のプラズマディスプレイパネル。
【請求項４】
前記フローティング電極が、前記一対の透明電極の一方の先端部分に対向する位置から他方の先端部分に対向する位置まで延びている請求項３に記載のプラズマディスプレイパネル。
【請求項５】
前記フローティング電極が、対向する隔壁の縦壁部に沿って延びる本体部と一体的に形成されて縦壁部に対して直交する方向に延びる幅広部を有している請求項１に記載のプラズマディスプレイパネル。
【請求項６】
前記誘電体層の列方向に隣接する単位発光領域の間の部分に対向する部分に、行方向に延びるとともに背面基板側に突出する嵩上げ誘電体層が形成され、この嵩上げ誘電体層と隔壁の縦壁部との間が接触していることによって、隔壁の縦壁部と誘電体層との間に行方向に隣接する単位発光領域間を連通する隙間が形成されている請求項１に記載のプラズマディスプレイパネル。
【発明の詳細な説明】
【０００１】
【発明の属する技術分野】
この発明は、プラズマディスプレイパネルのパネル構造に関する。
【０００２】
【発明が解決しようとする課題】
近年、大型で薄型のカラー画面表示装置として面放電方式交流型プラズマディスプレイパネルが注目を集めており、その普及が図られている。
【０００３】
図１０は、従来の面放電方式交流型プラズマディスプレイパネルを模式的に示す平面図であり、図１１は図１０のＶ３−Ｖ３線における断面図、図１２は図１０のＷ４−Ｗ４線における断面図，図１３は図１０のＷ５−Ｗ５線における断面図である。
【０００４】
この図１０ないし１３において、プラズマディスプレイパネルの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成される。
【０００７】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００８】
そして、各表示ラインＬにおいて、列電極Ｄ’と行電極対（Ｘ’，Ｙ’）が交差し、隔壁５によって放電空間Ｓ’が区画されることにより形成された単位発光領域に、放電セルＣ’がそれぞれ画定されている。
【０００９】
このプラズマディスプレイパネルには、図１１および１２に示されるように、誘電体層２の背面側のそれぞれ背中合わせに平行に延びるバス電極Ｘｂ’とＹｂ’に対向する部分に、バス電極Ｘｂ’，Ｙｂ’に沿って平行に延びる嵩上げ誘電体層２Ａが形成されている。
【００１０】
この嵩上げ誘電体層２Ａは、誘電体層２の背面から放電空間Ｓ’内に突出するように形成されているものであり、この放電空間Ｓ’内において、互いに対向する透明電極Ｘａ’とＹａ’の間に発生する面放電ｄがバス電極Ｘｂ’およびＹｂ’の側に広がるのを抑制することによって、列方向において互いに隣接する放電セルＣ’間において誤放電が発生するのを防止するように機能するものである。
【００１１】
上記の面放電方式交流型プラズマディスプレイパネルにおける画像の表示は、以下のようにして行われる。
【００１２】
すなわち、先ず、アドレス操作により、各放電セルＣ’において行電極対（Ｘ’，Ｙ’）と列電極Ｄ’との間で選択的に放電（対向放電）が行われ、点灯セル（誘電体層２に壁電荷が形成された放電セル）と消灯セル（誘電体層２に壁電荷が形成されなかった放電セル）とが、表示する画像に対応してパネル上に分布される。
【００１３】
そして、このアドレス操作の後、全表示ラインＬにおいて一斉に、行電極対（Ｘ’，Ｙ’）に対して交互に放電維持パルスが印加され、点灯セルにおいて、この放電維持パルスが印加される毎に、この点灯セルを挟むように位置する隣接する一対の嵩上げ誘電体層２Ａの間の空間内において面放電が発生されて、この面放電により発生する紫外線により、放電空間Ｓ’内のＲ，Ｇ，Ｂの蛍光体層６がそれぞれ励起されて発光することによって、表示画像が形成される。
【００１４】
上記のように、従来のＰＤＰは、バス電極Ｘｂ’，Ｙｂ’と対向する部分において行方向に延びるように形成された嵩上げ誘電体層２Ａにより、列方向への放電の広がりを抑制して、列方向において互いに隣接する放電セルＣ’間での放電の干渉を防止するようになっている。
【００１５】
しかしながら、この従来のＰＤＰは、図１３に示されるように、行方向において隣接する放電セルＣ’間においては、放電セルＣ’内への放電ガスの封入と放電セルＣ’からの排気のために隔壁５と誘電体層２との間に隙間ｒ’が形成されており、このために、図１０に示されるように、面放電ｄが隙間ｒ’を介して行方向において隣接する隣の放電セルＣ’に広がって放電の干渉が生じる虞れがある。
【００１６】
また、列方向における放電の広がりも、前述したように嵩上げ誘電体層２Ａによって一応防止されるが、面放電ｄが嵩上げ誘電体層２Ａを越えて生じるような場合には、列方向において隣接する放電セルＣ’間における放電の干渉を完全に防止することは出来ない。
【００１７】
そして、このような行方向および列方向における放電の干渉は、画像の高精細化に伴って放電セルのピッチが小さくなればなるほど発生の可能性が高くなり、放電の干渉が生じると、点灯すべき放電セルが消灯したり、消灯すべき放電セルが点灯したりして画像に乱れが生じてしまう。
【００１８】
この発明は、上記のような従来のプラズマディスプレイパネルにおける問題点を解決するために為されたものである。
すなわち、この発明は、隣接する放電セル間における放電の干渉を有効に防止して、安定した画像の表示を行うことが出来るプラズマディスプレイパネルを提供することを目的としている。
【００１９】
【課題を解決するための手段】
第１の発明によるプラズマディスプレイパネルは、上記目的を達成するために、前面基板の背面側に行方向に延び列方向に並設されてそれぞれ表示ラインを形成する複数の行電極対とこの行電極対を被覆する誘電体層が形成され、前面基板と放電空間を介して対向する背面基板に列方向に延び行方向に並設された複数の列電極が設けられ、この列電極と行電極対とが交差する位置の放電空間に、少なくとも列方向に延びる縦壁部を有する隔壁によって仕切られた単位発光領域が形成されているとともに、隔壁の縦壁部と誘電体層との間に行方向に隣接する単位発光領域間を連通する隙間が形成されているプラズマディスプレイパネルにおいて、前記前面基板または背面基板の少なくとも一方の行方向に隣接する単位発光領域間を仕切る隔壁の縦壁部に対向する部分に、フローティング電極が設けられていることを特徴としている。
【００２０】
第１の発明によるプラズマディスプレイパネルは、画像形成のために、各単位発光領域において行電極対の互いに対向する透明電極間において面放電が発生された際に、この一対の透明電極間のギャップの近傍に発生する面放電が行方向において隣接する隣の単位発光領域の一対の透明電極に飛び移ろうとすると、この面放電が行方向に隣接している単位発光領域間を仕切る隔壁の縦壁部に対向するように設けられたフローティング電極によって引き付けられることによって、面放電が隣りの単位発光領域の透明電極まで達するのが阻止される。
【００２１】
従って、上記第１の発明によれば、行方向において隣接する他の単位発光領域に面放電が広がるのが抑制されて、隣接する単位発光領域間において放電の干渉が生じるのが防止され、これによって、安定した画像の表示を行うことが出来るようになる。
【００２２】
第２の発明によるプラズマディスプレイパネルは、前記目的を達成するために、第１の発明の構成に加えて、前記フローティング電極が、透明導電膜または金属膜によって形成されていることを特徴としている。
【００２３】
この第２の発明によるプラズマディスプレイパネルによれば、フローティング電極が透明導電膜または金属膜によって形成されていることによって、プラズマディスプレイパネルの行方向において隣接する単位発光領域間において画像形成の際に発生される面放電が隣の単位発光領域に飛び移ろうとした際に、この二つの単位発光領域間に位置するように設けられたフローティング電極が面放電を引き付けるので、面放電が隣の単位発光領域内に達することが出来ず、これによって、行方向において隣接する単位発光領域間において放電の干渉が生じるのが防止されて、安定した画像の表示を行うことが出来るようになる。
【００２４】
第３の発明によるプラズマディスプレイパネルは、前記目的を達成するために、第１の発明の構成に加えて、前記行電極対の互いに所定のギャップを挟んで対向する透明電極がそれぞれ単位発光領域ごとに独立した島状に形成されており、前記フローティング電極が、行方向において互いに隣接する二つの単位発光領域の透明電極の先端部の間の位置またはこの二つの単位発光領域の透明電極の先端部の間の位置に対向する位置に、それぞれ設けられていることを特徴としている。
【００２５】
この第３の発明によるプラズマディスプレイパネルによれば、行電極対の互いに所定のギャップを挟んで対向する透明電極がそれぞれ単位発光領域ごとに独立した島状に形成されているプラズマディスプレイパネルにおいて、フローティング電極が、行方向において互いに隣接する二つの単位発光領域の透明電極の先端部間に対応する位置に位置されていることにより、面放電がもっとも多く発生する透明電極の先端部分における他の単位発光領域への放電の干渉を有効に防止することが出来る。
【００２６】
第４の発明によるプラズマディスプレイパネルは、前記目的を達成するために、第３の発明の構成に加えて、前記フローティング電極が、前記一対の透明電極の一方の先端部分に対向する位置から他方の先端部分に対向する位置まで延びていることを特徴としている。
【００２７】
この第４の発明によるプラズマディスプレイパネルによれば、行方向において互いに隣接する二つの単位発光領域間において、それぞれ一対の透明電極の一方の先端部分に対向する部分と他方の先端部分に対向する部分とこの一対の透明電極間のギャップに対向する部分間にフローティング電極が介在されることにより、隣接する二つの単位発光領域間における面放電の飛び移りをより有効に阻止して、放電の干渉の発生を防止することが出来るようになる。
【００２８】
第５の発明によるプラズマディスプレイパネルは、前記目的を達成するために、第１の発明の構成に加えて、前記フローティング電極が、対向する隔壁の縦壁部に沿って延びる本体部と一体的に形成されて縦壁部に対して直交する方向に延びる幅広部を有していることを特徴としている。
【００２９】
この第５の発明によるプラズマディスプレイパネルによれば、フローティング電極に、隔壁の縦壁部に対して直交する方向、すなわち、フローティング電極の本体部に対して直角向きに延びる幅広の部分によって、隔壁の縦壁部に対向するように形成されるために幅が狭くなっている本体部が前面基板または背面基板から剥離するのが防止される。
第６の発明によるプラズマディスプレイパネルは、前記目的を達成するために、第１の発明の構成に加えて、前記誘電体層の列方向に隣接する単位発光領域の間の部分に対向する部分に、行方向に延びるとともに背面基板側に突出する嵩上げ誘電体層が形成され、この嵩上げ誘電体層と隔壁の縦壁部との間が接触していることによって、隔壁の縦壁部と誘電体層との間に行方向に隣接する単位発光領域間を連通する隙間が形成されていることを特徴としている。
【００３０】
【発明の実施の形態】
以下、この発明の最も好適と思われる実施の形態について、図面を参照しながら詳細に説明を行う。
【００３１】
図１ないし６は、この発明によるプラズマディスプレイパネル（以下、ＰＤＰという）の実施形態の一例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図、図６は図１のＷ３−Ｗ３線における断面図である。
【００３２】
この図１ないし６において、表示面である前面ガラス基板１０の背面に、複数の行電極対（Ｘ，Ｙ）が、前面ガラス基板１０の行方向（図１の左右方向）に延びるように平行に配列されている。
【００３３】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００３４】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００３５】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００３６】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００３７】
さらに、前面ガラス基板１０の背面には、行電極Ｘの互いに隣接するＴ字形状の透明電極Ｘａの幅広部の間の中間位置と行電極Ｙの互いに隣接するＴ字形状の透明電極Ｙａの幅広部の間の中間位置に、それぞれ、方形のフローティング電極Ｆ１がそれぞれ形成されている。
【００３８】
このフローティング電極Ｆ１は、行電極Ｘ，Ｙの透明電極Ｘａ，Ｙａと同じＩＴＯ等の透明導電膜、または、バス電極Ｘｂ，Ｙｂと同じ材質の金属膜によって形成される。
【００３９】
そして、このフローティング電極Ｆ１は、行電極Ｘ，Ｙの透明電極Ｘａ，Ｙａおよびバス電極Ｘｂ，Ｙｂを形成する際に、パターニング等の手法によって、同時に形成される。
【００４０】
前面ガラス基板１０の背面には、さらに、行電極対（Ｘ，Ｙ）およびフローティング電極Ｆを被覆するように誘電体層１１が形成されており、この誘電体層１１の背面に、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極ＸｂおよびＹｂと平行に延びるように形成されている。
【００４１】
この誘電体層１１および嵩上げ誘電体層１１Ａの背面側には、これらを被覆するＭｇＯからなる保護層１２が形成されている。
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００４２】
背面ガラス基板１３の表示側の面上には、さらに、列電極Ｄを被覆する白色の誘電体層１４が形成され、この誘電体層１４上に、隔壁１５が形成されている。隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００４３】
そして、この隔壁１５によって、前面ガラス基板１０と背面ガラス基板１３の間の放電空間Ｓが、各行電極対（Ｘ，Ｙ）において対となった透明電極ＸａとＹａに対向する部分毎に升目状に区画されて、それぞれ方形の放電セルＣが形成されている。
【００４４】
この隔壁１５は、その表示面側に形成されたが黒色層（光吸収層）１５’と背面側の白色層（光反射層）１５”の二層構造に形成されており、放電セルＣに面する側壁面がほぼ白色（すなわち、光反射層）になるように構成されている。
【００４５】
この隔壁１５の横壁１５ｂの表示側の面には、嵩上げ誘電体層１１Ａが保護層１２を介して当接されて、列方向に並んでいる各放電セルＣ間が横壁１５ｂと嵩上げ誘電体層１１Ａによって閉塞されている。
【００４６】
また、隔壁１５の縦壁１５ａの表示側の面には、誘電体層１１の背面が隙間ｒを介して対向されており、さらに、行電極Ｘの互いに隣接するＴ字形状の透明電極Ｘａの幅広部の間の中間位置と行電極Ｙの互いに隣接するＴ字形状の透明電極Ｙａの幅広部の間の中間位置に形成された一対のフローティング電極Ｆ１が、対向されている。
【００４７】
放電セルＣに面する隔壁１５の縦壁１５ａおよび横壁１５ｂの側面と誘電体層１４の表面には、これらの五つの面を全て覆うように蛍光体層１６がそれぞれ形成されている。
この蛍光体層１６の色は、各放電セルＣ毎にＲ，Ｇ，Ｂの色が行方向に順に並ぶように設定される。
そして、各放電セルＣの放電空間内には、放電ガスが封入されている。
【００４８】
上記のＰＤＰは、行電極対（Ｘ，Ｙ）がそれぞれマトリクス表示画面の１表示ライン（行）Ｌを構成し、また、井桁状の隔壁１５によって放電空間Ｓが升目状に区画されることにより、それぞれ方形の放電セルＣが形成されている。
【００４９】
このＰＤＰにおける画像表示は、従来のＰＤＰと同様に行われる。
【００５０】
すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セル）と消灯セル（誘電体層１１に壁電荷が形成されなかった放電セル）とが、表示する画像に対応して、パネル上に分布される。
【００５１】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００５２】
以上のようにして、点灯セルにおける面放電により紫外線が発生され、放電空間Ｓ内のＲ，Ｇ，Ｂの各蛍光体層１６がそれぞれ励起されて発光することにより、表示画面が形成される。
【００５３】
そして、このとき、発生される面放電が列方向において隣接する放電セルＣに広がって行こうとすると、この列方向に隣接している放電セルＣ間を閉塞している嵩上げ誘電体層１１Ａと隔壁１５の横壁１５ｂによって、その広がりが阻止される。
【００５４】
さらに、透明電極ＸａとＹａの幅広部間のギャップｇの近傍に発生する面放電が、隙間ｒを介して行方向に隣接する隣の放電セルＣの透明電極ＸａとＹａに飛び移ろうとした場合には、この面放電は、この行方向に隣接している放電セルＣ間の隙間ｒに対向する位置に設けられたフローティング電極Ｆに引き付けられることによって、隣接している放電セルＣの透明電極ＸａとＹａまで達することが出来ず、二つの放電セルＣの間に位置する隔壁１５の縦壁１５ａの部分で、隣接する隣の放電セルＣへの移動が阻止される。
【００５５】
これによって、面放電の行方向への広がりが抑制されて、この行方向において隣接する放電セルＣ間において放電の干渉が生じるのが防止される。
【００５６】
なお、各放電セルＣへの放電ガスの封入や放電セルＣからの放電ガスの排気は、誘電体層１１と縦壁１５ａとの間に形成された隙間ｒを通して行われ、さらに、行方向において隣接する放電セルＣ間において連鎖的に放電を生じさせるプライミング効果も、この隙間ｒを介して確保される。
【００５７】
図７は、この発明によるＰＤＰの実施形態の第２の例を模式的に表す平面図である。
【００５８】
この第２の例におけるＰＤＰは、上述した第１の例のフローティング電極Ｆが互いに隣接する二つの透明電極Ｘａの幅広部の間および隣接する二つの透明電極Ｙａの幅広部の間にそれぞれ一対ずつ、すなわち、一つの縦壁１５ａにそれぞれ二個ずつ対向するように形成されているのに対し、前面ガラス基板１０（図２参照）の背面側の縦壁１５ａに対向する部分の互いに隣接する二つの透明電極Ｘａの幅広部の間から隣接する二つの透明電極Ｙａの幅広部の間に延びるフローティング電極Ｆ２が、一個ずつ形成されているものである。
他の部分の構成は、第１の例と同様であり、同一の符号が付されている。
【００５９】
この第２の例のＰＤＰにおいても、透明電極ＸａとＹａの幅広部間のギャップｇの近傍に発生する面放電が行方向に隣接する隣の放電セルＣの透明電極ＸａとＹａに飛び移ろうとした際に、この行方向に隣接している放電セルＣ間の隙間ｒに対向する位置に設けられたフローティング電極Ｆ２に面放電が引き付けられることによって、隣接する隣の放電セルＣへの移動が阻止され、これによって、この行方向において隣接する放電セルＣ間における放電の干渉の発生が防止される。
【００６０】
そして、この第２の例のＰＤＰによれば、フローティング電極Ｆ２が、第１の例のように互いに隣接する二つの透明電極Ｘａの幅広部の間と隣接する二つの透明電極Ｙａの幅広部の間だけでなく、互いに隣接する二つの行電極対（Ｘ，Ｙ）のそれぞれのギャップｇの間にも設けられることによって、さらに効果的に、行方向において隣接する放電セルＣの透明電極Ｘａ，Ｙａへの面放電の飛び移りが抑制されて、放電の干渉が防止される。
【００６１】
図８は、この発明によるＰＤＰの実施形態の第３の例を模式的に表す平面図である。
【００６２】
この第３の例におけるＰＤＰは、上述した第１の例のＰＤＰと同様に、フローティング電極Ｆ３が、前面ガラス基板１０（図２参照）の背面の互いに隣接する二つの透明電極Ｘａの幅広部の間および隣接する二つの透明電極Ｙａの幅広部の間にそれぞれ一対ずつ、すなわち、一つの縦壁１５ａにそれぞれ二個ずつ対向するように形成されている。
【００６３】
そして各フローティング電極Ｆ３は、二つの透明電極Ｘａの間と二つの透明電極Ｙａの間からそれぞれバス電極ＸｂとＹｂの方向に延長されて、その端部に縦壁１５ａに対して直交する方向に延びる幅広部Ｆ３ａが一体的に形成されたＴ字形状をしている。
【００６４】
この第３の例におけるＰＤＰは、隔壁１５の縦壁１５ａに対向するように形成されるフローティング電極Ｆ３の幅の狭い本体部Ｆ３ｂが剥離するのを、この本体部Ｆ３ｂと直角向きに形成された幅広部Ｆ３ａによって防止することが出来る。
【００６５】
図９は、この発明によるＰＤＰの実施形態の第４の例を示す図４と同じ部分の断面図である。
【００６６】
この第４の例におけるＰＤＰは、上述した第１ないし３の例のＰＤＰにおいてフローティング電極Ｆ１，Ｆ２，Ｆ３が前面ガラス基板１０側に形成されていたのに対し、フローティング電極Ｆ４が、背面ガラス基板１３上の隣接する二つの列電極Ｄの中間位置の縦壁１５ａと対向する部分に形成されているものである。なお、このフローティング電極Ｆ４の形状は、第１ないし３の例の何れの形状でも選択することが出来る。
【００６７】
この第４の例におけるＰＤＰも、フローティング電極Ｆ４により、その形状に対応して、第１ないし３の例の場合と同様に、行方向において隣接する放電セルＣ間における放電の干渉の発生を防止することが出来る。
【００６８】
そして、この第４の例の場合には、透明電極ＸａとＹａが第１ないし３の例の場合のように放電セルＣごとに島状に独立して形成されていないＰＤＰに対しても適用が可能になる。
【図面の簡単な説明】
【図１】この発明の実施形態における第１の例を模式的に表す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】図１のＷ３−Ｗ３線における断面図である。
【図７】この発明の実施形態における第２の例を模式的に表す平面図である。
【図８】この発明の実施形態における第３の例を模式的に表す平面図である。
【図９】この発明の実施形態における第４の例を模式的に表す断面図である。
【図１０】従来のプラズマディスプレイパネルを模式的に示す平面図である。
【図１１】図１０のＶ３−Ｖ３線における断面図である。
【図１２】図１０のＷ４−Ｗ４線における断面図である。
【図１３】図１０のＷ５−Ｗ５線における断面図である。
【符号の説明】
１０    …前面ガラス基板（前面基板）
１１    …誘電体層
１１Ａ  …嵩上げ誘電体層
１２    …保護層
１３    …背面ガラス基板（背面基板）
１４    …誘電体層
１５    …隔壁
１５ａ  …縦壁
１５ｂ  …横壁
Ｆ１，Ｆ２，Ｆ３，Ｆ４…フローティング電極
Ｆ３ａ  …幅広部
Ｆ３ｂ  …本体部
Ｘ      …行電極
Ｙ      …行電極
Ｘａ    …透明電極
Ｙａ    …透明電極
Ｘｂ    …バス電極
Ｙｂ    …バス電極
Ｄ      …列電極
Ｓ      …放電空間
Ｃ      …放電セル（単位発光領域）
ｇ      …ギャップ
ｒ      …隙間
【図１】
0003737010.tif 000002
【図２】
0003737010.tif 000003
【図３】
0003737010.tif 000004
【図４】
0003737010.tif 000005
【図５】
0003737010.tif 000006
【図６】
0003737010.tif 000007
【図７】
0003737010.tif 000008
【図８】
0003737010.tif 000009
【図９】
0003737010.tif 000010
【図１０】
0003737010.tif 000011
【図１１】
0003737010.tif 000012
【図１２】
0003737010.tif 000013
【図１３】
0003737010.tif 000014